(57)【要約】【課題】  スーパーマーケット等の籠に装着しやすく、購入した商品を籠から詰め替える手間を不要とし、物品を安定した状態で収納することができ、体裁が良く、繰り返し使用することができる買い物袋を提供すること。【解決手段】  耐久性のある可撓性シートを素材とし、底面部１の左右に側面部２を、前後に前面部３及び後面部４を一体に形成し、側面部２の先端を延長して互いに結束可能な持ち手部を形成し、一方の側面部２の前後縁に前面部３及び後面部４の一側縁を接合し、他方の側面部２の前縁と前面部３の他側部、及び、他方の側面部２の後縁と後面部４の他側縁に、互いに着脱自在に係合する固定具８，８’，９，９’をそれぞれ設ける。【選択図】          図１
0003115794.tif 000002
【実用新案登録請求の範囲】
【請求項１】
耐久性のある可撓性シートを素材とし、底面部の左右に側面部を、前後に前面部及び後面部をそれぞれ一体に形成し、前記側面部の上端を延長して互いに結束可能な持ち手部を形成し、一方の側面部の前後縁にそれぞれ前記前面部及び後面部の一側縁を接合し、他方の側面部の前縁と前記前面部の他側部、及び、他方の側面部の後縁と前記後面部の他側縁に、互いに着脱自在に係合する固定具をそれぞれ設けたことを特徴とする買い物袋。
【請求項２】
前記前面部及び後面部の上部に、互いに着脱自在に係合する係止具を設けた請求項１に記載の買い物袋。
【考案の詳細な説明】
【技術分野】
【０００１】
本考案は、購入した商品を持ち運ぶのに用いる買い物袋に関する。
【背景技術】
【０００２】
スーパーマーケット等で買い物をすると、会計を済ませた後、籠に入った商品を持ち手のついたポリ袋に詰め替えて持ち帰るのが一般的であった。
ところが、籠内の商品をポリ袋に詰め替えるのは面倒であり、混雑している場合には、詰め替える場所を確保するのも大変であった。
そこで、あらかじめ籠内に装着しておき、レジで商品を１点ずつカウントしながら入れていけるため、会計後に籠から詰め替える必要のない買い物袋が提案されている（特許文献１及び特許文献２参照）。
【０００３】
しかし、これらのものは、繰り返し買い物袋として使用するものではなく、資源の無駄やごみの増加を抑制する効果は低い。
また、中身によって大きさや形を変えることができるとはいえ、ほとんど１枚のシート状であるため、風呂敷のように包み込んで縛り付けなければ安定した形を維持することができず、体裁が良くない。
【０００４】
【特許文献１】特開２００５−５２１６３号公報
【特許文献２】特開２００５−９５５２４号公報
【考案の開示】
【考案が解決しようとする課題】
【０００５】
本考案が解決しようとする課題は、スーパーマーケット等の籠に装着しやすく、購入した商品を籠から詰め替える手間を不要とし、物品を安定した状態で収納することができ、体裁が良く、繰り返し使用することができる買い物袋を提供することにある。
【課題を解決するための手段】
【０００６】
本考案の買い物袋は、耐久性のある可撓性シートを素材とし、底面部の左右に側面部を、前後に前面部及び後面部をそれぞれ一体に形成し、前記側面部の上端を延長して互いに結束可能な持ち手部を形成し、一方の側面部の前後縁にそれぞれ前記前面部及び後面部の一側縁を接合し、他方の側面部の前縁と前記前面部の他側部、及び、他方の側面部の後縁と前記後面部の他側縁に、互いに着脱自在に係合する固定具をそれぞれ設けてある。
前記前面部及び後面部の上部に、互いに着脱自在に係合する係止具を設けても良い。
【考案の効果】
【０００７】
請求項１に係る考案によれば、レジで商品を入れる籠の内部に装着しておくことにより、籠から買い物袋に商品を詰め替える手間を省くことができ、何度も繰り返して使用できるため、資源の無駄やごみの増加を抑制することが可能である。
また、一方の側面部と前面部及び後面部とが接合され、他方の側面部と前面部及び後面部とが分離可能なので、籠の内面に沿わせて装着しやすいばかりか、籠の寸法の違いにも無理なく対応することができ、籠から取り出す際に買い物袋を傾ければ、内部の商品が落下する心配もない。
さらに、固定具を係合すれば、通常の手提げ袋状になるので、体裁が良い。
請求項２に係る考案によれば、係止具を係合して上面の開口をふさぐと、収納した物品が脱出するのを防ぐことができる。
【考案を実施するための最良の形態】
【０００８】
以下、本考案の実施例を図面に基づいて詳細に説明する。
本考案の買い物袋は、布、合成樹脂シート等の軽くて耐久性がある可撓性シートを素材とし、図１に示すように、底面部１の左右にそれぞれ側面部２を一体に形成すると共に、底面部１の前後にそれぞれ前面部３及び後面部４を一体に形成してなる。
底面部１の寸法は、スーパーマーケット等で使用されている標準的な籠Ａ（図２）の底面の寸法に対応している。
【０００９】
前面部３及び後面部４は、籠Ａの形状に合わせて上端縁の長さが下端縁の長さよりも長い台形に形成され、その寸法は籠Ａの前後面の寸法に合わせてあるが、高さは籠Ａの高さよりやや大とするのが望ましい。
また、前面部３の上端縁中央部には突出片５が突設され、突出片５の先端部には面ファスナー等の係止具６が装着されている。
後面部４の上端中央部には、係止具６と着脱自在に係合する係止具６’が装着されている。
【００１０】
側面部２は籠Ａの側面の寸法に応じた寸法を有し、その上端を延長して互いに結束可能な持ち手７が形成されている。
また、一方の側面部２の前後縁にはそれぞれ前面部３及び後面部４の一側縁が、縫着、溶着等の素材に適した手段によって接合されている。
さらに、他方の側面部２の前縁と、前面部３の他側縁には、互いに着脱自在に係合する雌雄の固定具８，８’がそれぞれ装着され、他方の側面部２の後縁と、後面部４の他側縁には、互いに着脱自在に係合する雌雄の固定具９，９’がそれぞれ装着されている。固定具８，８’，９，９’は、面ファスナー、スライドファスナ等とする。
【００１１】
この買い物袋は次のように使用する。
図２に示すように、固定具８，８’，９，９’を外して前面部３及び後面部４と他方の側面部２とを分離した状態で、買い物袋を籠Ａの内面に沿って装着する。
この時、側面部２、前面部３及び後面部４はそれぞれ籠Ａの側面及び前後面に沿わせてあるが、側面部２の上方へ延長した持ち手７は籠Ａの外側下方へ折り返しておく。また、前面部３及び後面部４と他方の側面部２とは分離しているので、籠Ａの大きさが違っても無理なく籠Ａの内部に装着することができる。
【００１２】
レジでは、カウントした商品を籠Ａに装着した買い物袋内に入れていく。そして、会計が全て終了したら、買い物袋を商品と共に籠Ａから取り出し、固定具８，８’，９，９’を係合する。
なお、前面部３及び後面部４と一方の側面部２とは接合されているので、籠Ａから買い物袋を取り出す際に、一方の側面部２が下になるよう傾ければ、商品が落下することはない。また、必要であれば、係止具６，６’を係合して買い物袋の上面を閉じる。
次いで、両側の持ち手７どうしを結束して、手に下げるか、肩にかけ、買い物袋を持ち運ぶ。
【図面の簡単な説明】
【００１３】
【図１】本考案の実施例を示す買い物袋の展開図。
【図２】本考案の実施例を示す買い物袋の籠装着時における斜視図。
【図３】本考案の実施例を示す買い物袋の持ち運び時における斜視図。
【符号の説明】
【００１４】
Ａ  籠
１  底面部
２  側面部
３  前面部
４  後面部
５  突出片
６，６’  係止具
７  持ち手
８，８’，９，９’  固定具
【図１】
0003115794.tif 000003
【図２】
0003115794.tif 000004
【図３】
0003115794.tif 000005